(57)【要約】【課題】電子機器ユニットの着脱機構３０は、部品点数が少なく、電子機器ユニット１１の着脱作業が簡単である。【解決手段】 着脱機構３０は、電子機器ユニット１１のガイド側面１６を支持するガイド本体４１と、ガイド本体４１の上に支持された電子機器ユニット１１をロックするロック機構を備えている。ロック機構は、ガイド本体４１の端部から片持ちで突設された弾性片４３ａと、弾性片４３ａに突設された操作突出部４３ｂと、弾性片４３ａに突設され電子機器ユニット１１のネジ穴１６aに突入することで電子機器ユニット１１のスライドを規制する係合突起４４とを備えている。操作突出部４３ｂは、弾性片４３ａが撓んだときに、係合突起４４がネジ穴１６aから抜け出て、電子機器ユニット１１のスライド時に、ガイド側面１６に接触しないように係合突起４４より大きく形成している。【選択図】図２
2011086335.tif 000002
【特許請求の範囲】
【請求項１】
電子機器ユニットを着脱可能に収納するディスクアレイ装置の着脱機構において、
上記電子機器ユニットのガイド側面に接触しつつスライド可能であり、該ガイド側面を支持するガイド本体と、
上記ガイド本体の端部に形成され、上記ガイド本体の上に支持された電子機器ユニットをロックするロック機構と、
を備え、
上記ロック機構は、上記ガイド本体の端部から片持ちで突設された弾性片と、該弾性片に突設された操作突出部と、上記弾性片に突設され上記電子機器ユニットのネジ穴に突入することで上記電子機器ユニットのスライドを規制する係合突起とを備え、
上記操作突出部は、上記弾性片が撓んだときに、上記係合突起が上記ネジ穴から抜け出て、上記電子機器ユニットのスライド時に、上記ガイド側面に接触しないように上記係合突起より大きく形成したこと、
を特徴とする電子機器ユニットの着脱機構。
【請求項２】
請求項１に記載の電子機器ユニットの着脱機構において、
上記操作突出部は、上記弾性片が撓んだ状態にて、上記電子機器ユニットのガイド側面を上記ガイド本体へガイドするように傾斜したガイド斜面を有する電子機器ユニットの着脱機構。
【請求項３】
請求項１または請求項２に記載の電子機器ユニットの着脱機構において、
さらに、上記電子機器ユニットに抜く方向への力を加えるための取出部材を備え、
上記取出部材は、取出部材本体と、該取出部材本体の一端部に形成された把持部と、該取出部材本体の他端部に形成された折曲押圧部とを備え、上記折曲押圧部は、上記電子機器ユニットの背面を押すように折曲形成されている電子機器ユニットの着脱機構。
【請求項４】
請求項３に記載の電子機器ユニットの着脱機構において、
上記折曲押圧部は、上記電子機器ユニットの背面の中程を押すように折曲された押圧端を有する電子機器ユニットの着脱機構。
【請求項５】
請求項３ないし請求項４に記載の電子機器ユニットの着脱機構において、
上記把持部は、リング形状である電子機器ユニットの着脱機構。
【請求項６】
請求項３ないし請求項５のいずれかに記載の電子機器ユニットの着脱機構において、
上記着脱機構を収納する収納スペースを有するケーシング本体と、該ケーシング本体の開口を開閉可能である前面カバーとを備え、
上記取出部材は、上記前面カバーを開いたときに、上記把持部の一部が上記開口から露出し、上記折曲押圧部が上記電子機器ユニットの背面に当たるまで移動したときに、上記電子機器ユニットに外力を加えないで上記把持部の全体が露出するように構成されている電子機器ユニットの着脱機構。
【請求項７】
請求項１ないし請求項５のいずれかに記載のディスクアレイ装置において、
上記着脱機構を収納する収納スペースを有するケーシング本体と、該ケーシング本体の開口を開閉可能である前面カバーとを備え、上記着脱機構に上記電子機器ユニットを着脱可能に収納したディスクアレイ装置。
【発明の詳細な説明】
【技術分野】
【０００１】
本発明は電子機器ユニット着脱機構、及び着脱可能に構成されたハードディスクドライブ装置を複数搭載する電子機器ユニットの着脱機構およびディスクアレイ装置に関する。
【背景技術】
【０００２】
近年、高速かつ大容量で信頼性の高い外部記憶装置を実現すべく、ハードディスクドライブ装置（ＨＤＤ）を内設した電子機器ユニットを複数搭載したディスクアレイ装置が提供されている。
【０００３】
こうした従来のディスクアレイ装置では、電子機器ユニットを外すための着脱機構として、電子機器ユニットにブラケットやトレイなどを装着するか、汎用の電子機器ユニットのネジ穴を利用して枠体にネジ止めする構成であり、部品点数が多くなるだけでなく、着脱操作が面倒であるという問題があった。
【先行技術文献】
【特許文献】
【０００４】
【特許文献１】特開平０８−２１２０１６号公報
【特許文献２】特開平１０−５００４８号公報
【特許文献３】特開２００３−２１６２７７号公報
【特許文献４】特開２００４−５４９６７号公報
【発明の概要】
【発明が解決しようとする課題】
【０００５】
本発明は、上記従来の技術の問題点を解決することを踏まえ、部品点数が少なく、電子機器ユニットの着脱作業が簡単な電子機器ユニットの着脱機構およびディスクアレイ装置を提供することを目的とする。
【課題を解決するための手段】
【０００６】
本発明は、上述の課題の少なくとも一部を解決するためになされたものであり、以下の形態または適用例として実現することが可能である。
【０００７】
［適用例１］
適用例１は、電子機器ユニットを着脱可能に収納するディスクアレイ装置の着脱機構において、
上記電子機器ユニットのガイド側面に接触しつつスライド可能であり、該ガイド側面を支持するガイド本体と、
上記ガイド本体の端部に形成され、上記ガイド本体の上に支持された電子機器ユニットをロックするロック機構と、
を備え、
上記ロック機構は、上記ガイド本体の端部から片持ちで突設された弾性片と、該弾性片に突設された操作突出部と、上記弾性片に突設され上記電子機器ユニットのネジ穴に突入することで上記電子機器ユニットのスライドを規制する係合突起とを備え、
上記操作突出部は、上記弾性片が撓んだときに、上記係合突起が上記ネジ穴から抜け出て、上記電子機器ユニットのスライド時に、上記ガイド側面に接触しないように上記係合突起より大きく形成したこと、
を特徴とする。
【０００８】
適用例１に記載の電子機器ユニットの着脱機構によれば、電子機器ユニットのガイド側面に形成された固定のための規格として設けられているネジ穴は、ガイド部材の係合突起を突入させることで、位置決めとして利用しており、汎用の電子機器ユニットに対応することができる。よって、着脱機構は、電子機器ユニットにブラケットやトレイなどの別部品を設ける必要がなく、構成が簡単になる。
【０００９】
着脱機構は、弾性片を撓ませるとともに取出部材の把持部を引き抜けば電子機器ユニットを外すことができ、一方、弾性片を撓ませて、ガイド部材の上に乗せて押し込めば電子機器ユニットを収納スペース内に収納することができる。よって、電子機器ユニットの脱着のために、ネジなどの締結作業が不要であり、装着作業性に優れている。
【００１０】
着脱機構は、着脱の際に、弾性片を撓ませれば、係合突起が電子機器ユニットのネジ穴から抜け出ることができ、しかも電子機器ユニットを上側支持部の上をスライドさせる際に、ネジ穴に引っかからず、スムーズな着脱作業を行なうことができる。
【００１１】
［適用例２］
適用例２の操作突出部は、上記弾性片が撓んだ状態にて、上記電子機器ユニットのガイド側面を上記ガイド本体へガイドするように傾斜したガイド斜面を有する電子機器ユニットの着脱機構。
【００１２】
［適用例３］
適用例３は、さらに、上記電子機器ユニットに抜く方向への力を加えるための取出部材を備え、
上記取出部材は、取出部材本体と、該取出部材本体の一端部に形成された把持部と、該取出部材本体の他端部に形成された折曲押圧部とを備え、上記折曲押圧部は、上記電子機器ユニットの背面を押すように折曲形成されている構成をとることができる。
【００１３】
［適用例４］
適用例４の折曲押圧部は、上記電子機器ユニットの背面の中程を押すように折曲された押圧端を有する構成をとることができる。この構成により、取出部材は、取出部材本体から折曲された折曲押圧部の押圧端により、電子機器ユニットの背面のほぼ中央部を押すので、電子機器ユニットを傾かせることなく、スムーズに移動させることができる。
【００１４】
［適用例５］
適用例５の把持部は、リング形状であり、把持部を引っ張ればよいことが分かり、操作の視認性がよい。
【００１５】
［適用例６］
適用例６は、上記着脱機構を収納する収納スペースを有するケーシング本体と、該ケーシング本体の開口を開閉可能である前面カバーとを備え、
上記取出部材は、上記前面カバーを開いたときに、上記把持部の一部が上記開口から露出し、上記折曲押圧部が上記電子機器ユニットの背面に当たるまで移動したときに、上記電子機器ユニットに外力を加えないで上記把持部の全体が露出するように構成することができる。この構成により、把持部は、前面カバーを外した状態にて、リングの一部が隠れているが、指で軽く引っ張れば、図７に示すように取出部材が遊びの距離だけスライドして全体が露出して、指を引っかけ易くなるから、操作性に優れている。
【００１６】
［適用例７］
適用例７は、着脱機構に上記電子機器ユニットを着脱可能に収納したディスクアレイ装置である。
【図面の簡単な説明】
【００１７】
【図１】本発明の一実施例にかかるディスクアレイ装置を示す斜視図である。
【図２】ディスクアレイ装置を分解した斜視図である。
【図３】着脱機構を分解した斜視図である。
【図４】着脱機構の正面図であって電子機器ユニットを１個装着している状態を示す。
【図５】電子機器ユニットをディスクアレイ装置から取り外す作業を説明する説明図である。
【図６】図５の６−６線に沿った断面図である。
【図７】図６に続く動作を説明する説明図である。
【図８】図５に続く動作を説明する説明図である。
【図９】図７に続く動作を説明する説明図である。
【図１０】図８に続く動作を説明する説明図である。
【発明を実施するための形態】
【００１８】
（１）  ディスクアレイ装置１０の概略構成
図１は本発明の一実施例にかかるディスクアレイ装置１０を示す斜視図、図２はディスクアレイ装置１０を分解した斜視図である。ディスクアレイ装置１０は、２個の汎用のハードディスクドライブを交換可能に内蔵した装置であり、２個の電子機器ユニット１１（ハードディスクドライブ）と、電子機器ユニット１１を収納するケーシング２０と、電子機器ユニット１１を着脱するための着脱機構３０とを備えており、必要に応じてケーシング２０から着脱機構３０を介して電子機器ユニット１１を手動により着脱することが可能な装置である。
【００１９】
（２）  ディスクアレイ装置１０の各部の構成
（２）−１  電子機器ユニット１１
図２において、電子機器ユニット１１は、汎用の３．５インチのハードディスクドライブであり、前面１２と、背面１４と、側面１５，１５と、ガイド側面１６，１６とで構成されたユニットケースに収納されている。電子機器ユニット１１の背面１４には、外部電子機器に接続するためのコネクタ１７が形成されている。また、ガイド側面１６，１６には、電子機器ユニット１１に汎用性を付与するための規格として、他の電子機器に固定するためのネジ穴１６a，１６ｂ，１６ｃがそれぞれ形成されている。
【００２０】
（２）−２  ケーシング２０
ケーシング２０は、ケーシング本体２１と、前面カバー２３とにより収納スペース２０Ｓを構成している。収納スペース２０Ｓには、電子機器ユニット１１および着脱機構３０が収納されている。収納スペース２０Ｓは、前面カバー２３がケーシング本体２１から外されることで露出する開口２０Ｓａを有している。前面カバー２３は、カバー係合部２３ａ，２３ｂにより、ケーシング本体２１の係合部２１ａ，２１ｂに係合し、ケーシング本体２１の押圧部２１ｃを押すことで着脱可能になっている。
【００２１】
（２）−３  着脱機構３０
図３は着脱機構３０を分解した斜視図であり、図４は着脱機構３０の正面図であって電子機器ユニット１１を１個装着している状態を示す。図３において、着脱機構３０は、金属製の支持枠体３１と、樹脂（ポリカーボネイト）製の２個のガイド部材４０，４０と、金属製の２個の取出部材６０，６０とを備えている。支持枠体３１は、側支持板３２，３３と、下支持板３４と、上側支持部５０とを備え、これらで囲まれた直方体に形成されている。支持枠体３１の背面には、電子基板（（図示省略）を介して、電子機器ユニット１１のコネクタ１７に接続されるコネクタ２２が設けられている。
【００２２】
各々のガイド部材４０は、下支持板３４上に爪係合により固定されており、電子機器ユニット１１のガイド側面１６をスライドさせるためのガイド本体４１と、ガイド本体４１の両側に形成された側ガイド４２とを備えている。側ガイド４２には、先端が突起の片持ち片からなるガイド片４２ａが形成されている。ガイド本体４１の先端部には、フック４３が形成されている。フック４３は、片持ちの弾性片４３ａと、弾性片４３ａの先端に形成された操作突出部４３ｂと、操作突出部４３ｂの前面に形成されたガイド斜面４３ｃとを備えている。弾性片４３ａには、電子機器ユニット１１のネジ穴１６aに突入係合するための係合突起４４が突設されている。フック４３および係合突起４４は、電子機器ユニット１１のネジ穴１６aとともに、ロック機構を構成している。
【００２３】
上側支持部５０は、側支持板３２，３３の上端に掛け渡されかつガイド部材４０に対向して配置されており、電子機器ユニット１１の他方のガイド側面１６を支持する部材であり、支持本体５１と、支持本体５１の一端から折曲された背面板５２とを備えている。支持本体５１の端部には、挿入穴５３ａが形成されている。上側支持部５０には、取出部材６０を所定範囲内でスライド可能に支持する構成などとして、両側ガイド５３、ガイド押さえ５４、スライド突起５５、ストッパ片５６などが形成されている。
【００２４】
取出部材６０は、電子機器ユニット１１に抜く方向ｄ２への力を加えるための部材であり、上側支持部５０によりスライド可能に支持されている。取出部材６０は、取出部材本体６１と、取出部材本体６１の一端に形成された把持部６２と、取出部材本体６１の他端で折曲された折曲押圧部６３とを備えている。取出部材本体６１の両側には、被ガイド部６１ａが３箇所形成されている。被ガイド部６１ａは、上側支持部５０のガイド押さえ５４により両側がスライド可能に押さえられることで取出部材６０の上側支持部５０上にて円滑な摺動を確保している。取出部材本体６１の把持部６２側には、スライド突起５５に押されて撓むことで緩衝するためのスリット６１ｂが形成されている。また、取出部材本体６１の中程には、ガイド穴６１ｃが形成されている。ガイド穴６１ｃは、上側支持部５０のストッパ片５６に当たることで取出部材６０のスライドを規制している。
【００２５】
把持部６２は、取出部材本体６１の端部に形成されたリング状であり、指を引っ掛けることで取出部材６０に抜く方向ｄ２への力を加える部位である。折曲押圧部６３は、取出部材本体６１の端部から折曲された片持ちの押圧片６３ａと、押圧片６３ａの先端からさらに折曲された押圧端６３ｂとを備えている。押圧端６３ｂは、押圧片６３ａを電子機器ユニット１１の背面１４に接触させないように折曲されている。
【００２６】
こうした上側支持部５０および取出部材６０の構成において、把持部６２を指で掴んで、取出部材６０に矢印方向ｄ２の力を加えると、取出部材６０は、被ガイド部６１ａがガイド押さえ５４により矢印方向ｄ２と直角方向のガタツキを規制された状態であり、かつ取出部材本体６１の下面がスライド突起５５に当たって摩擦力が低減された状態にて、折曲押圧部６３の押圧端６３ｂで電子機器ユニット１１の背面１４を押して電子機器ユニット１１を矢印方向ｄ２へ移動させる。
【００２７】
（３）  ディスクアレイ装置１０の電子機器ユニット１１の取外し・収納動作
（３）−１  電子機器ユニット１１の取外し動作
図５に示すように、電子機器ユニット１１をディスクアレイ装置１０から取り外すには、ディスクアレイ装置１０の電源をオフにした後に、ケーシング本体２１の係合部２１ａの付近の押圧部２１ｃを指で押して弾性変形により係合箇所の隙間を広げて、前面カバー２３のカバー係合部２３ａ，２３ｂと、ケーシング本体２１の係合部２１ａ，２１ｂとの２箇所の爪を外し、前面カバー２３をケーシング本体２１から外す。次に、ガイド部材４０のフック４３の操作突出部４３ｂを指で下方（矢印方向ｄ１）へ押すことで、弾性片４３ａを弾性変形させ、その状態を維持する。このとき、図６の着脱機構３０で示すように、係合突起４４が電子機器ユニット１１のネジ穴１６aから外れる。そして、図７に示すように、取出部材６０の把持部６２を指でつまんで、矢印方向ｄ２に引き抜き、取出部材６０に同方向へ力を加える。取出部材６０の押圧端６３ｂは、電子機器ユニット１１の背面１４に当たる遊びの距離Ｌ１だけ移動する。そして、図８および図９に示すように、さらに把持部６２を引き抜くと、電子機器ユニット１１を矢印方向ｄ２へ押す。この押圧力により、電子機器ユニット１１は、ガイド部材４０の上面を、側ガイド４２（図３参照）でガイドされつつ移動する。このとき、電子機器ユニット１１側のコネクタ１７が支持枠体３１の下支持板３４のコネクタ２２から外れる。この状態にて、フック４３の操作突出部４３ｂは、電子機器ユニット１１の下面で押されて弾性片４３ａを撓ませているから、係合突起４４も電子機器ユニット１１の下面から離れて、電子機器ユニット１１のネジ穴１６ａに引っ掛からず、スライド時における障害にならない。そして、図１０に示すように、取出部材６０の把持部６２を引き抜くにつれて、取出部材６０のガイド穴６１ｃの端縁がストッパ片５６（図３参照）に当たったときに、その移動が規制される。このとき、電子機器ユニット１１の前半部は、ケーシング２０の開口２０Ｓａから進出しているので、これを掴んで電子機器ユニット１１を外す。
【００２８】
（３）−２  電子機器ユニット１１の収納動作
電子機器ユニット１１をディスクアレイ装置１０内に収納するには、上述の取外し動作と逆動作を行なう。すなわち、図１０から電子機器ユニット１１の前半部を持つとともに傾けて、図９に示すように、そのガイド側面１６をフック４３のガイド斜面４３ｃに接触させつつ収納スペース２０Ｓの開口２０Ｓａから挿入する。そして、電子機器ユニット１１のガイド側面１６を、ガイド部材４０上にのせて、電子機器ユニット１１を矢印方向ｄ３に押し込む。図７に示すように、電子機器ユニット１１は、その背面１４が取出部材６０の折曲押圧部６３の押圧端６３ｂに当たると、取出部材６０を一体に同方向へ移動する。電子機器ユニット１１が奥まで押し込まれると、図６に示すように電子機器ユニット１１のコネクタ１７がケーシング２０のコネクタ２２に接続されるとともに、電子機器ユニット１１の前面がフック４３の操作突出部４３ｂを超えて、弾性片４３ａと一体の係合突起４４が電子機器ユニット１１のネジ穴１６ａに突入することにより、弾性片４３ａが弾性力で矢印方向ｄ４へ戻る。これにより、弾性片４３ａと一体の係合突起４４が電子機器ユニット１１のネジ穴１６aに突入して、電子機器ユニット１１がロックされて収納スペース２０Ｓに収納される。その後、図５に示すように前面カバー２３をケーシング２０の開口２０Ｓａを閉じる。このとき、前面カバー２３の裏面で、把持部６２が押されることで、取出部材６０が遊びの距離だけ奥まで移動する。これにより、電子機器ユニット１１の収納作業が完了する。
【００２９】
（４）  上記実施例により、以下の作用効果を奏する。
（４）−１  ディスクアレイ装置１０の着脱機構３０において、図６に示すように、電子機器ユニット１１のガイド側面１６に形成された固定のための規格として設けられているネジ穴１６aは、ガイド部材４０の係合突起４４を突入させることで、位置決めとして利用しており、汎用の電子機器ユニット１１に対応することができる。よって、着脱機構３０は、電子機器ユニット１１にブラケットやトレイなどの別部品を設ける必要がなく、構成が簡単になる。
【００３０】
（４）−２  図５および図６に示すように、着脱機構３０は、前面カバー２３を外した後に、フック４３を撓ませるとともに取出部材６０の把持部６２を引き抜けば電子機器ユニット１１を外すことができ、一方、フック４３を撓ませて、ガイド部材４０の上に乗せて押し込めば電子機器ユニット１１を収納スペース２０Ｓ内に収納することができる。よって、電子機器ユニット１１の脱着のために、ネジなどの締結作業が不要であり、装着作業性に優れている。
【００３１】
（４）−３  着脱機構３０は、着脱の際に、フック４３を撓ませれば、係合突起４４が電子機器ユニット１１のネジ穴１６aから抜け出ることができ、しかも電子機器ユニット１１を上側支持部５０の上をスライドさせる際に、ネジ穴１６ｂ，１６ｃに引っかからず、スムーズな着脱作業を行なうことができる。
【００３２】
（４）−４  ガイド部材４０のガイド斜面４３ｃは、電子機器ユニット１１をガイド部材４０の上へガイドする斜面として作用し、フック４３が撓むから、電子機器ユニット１１をガイド部材４０上に導くのも容易である。
【００３３】
（４）−５  図９に示すように、取出部材６０は、取出部材本体６１から折曲された折曲押圧部６３の押圧端６３ｂにより、電子機器ユニット１１の背面１４のほぼ中央部を押すので、電子機器ユニット１１を傾かせることなく、スムーズに移動させることができる。
【００３４】
（４）−６  図６に示すように、ケーシング２０から前面カバー２３を外したときに、取出部材６０の把持部６２が半分程度露出したリング形状であるので、把持部６２を引っ張ればよいことが分かり、操作の視認性がよい。
【００３５】
（４）−７  把持部６２は、前面カバー２３を外した状態にて、リングの一部が隠れているが、指で軽く引っ張れば、図７に示すように取出部材６０が遊びの距離Ｌ１だけスライドして全体が露出して、指を引っかけ易くなるから、操作性に優れている。
【００３６】
（４）−８  図７および図９に示すように、電子機器ユニット１１のコネクタ１７とケーシング２０のコネクタ２２との接続／非接続は、取出部材６０を引き抜き、および電子機器ユニット１１の押し込みにより同時に行なうことができるので、接続作業性に優れている。
【００３７】
（４）−９  図３に示すように、ガイド部材４０のガイド片４２ａは、弾性変形可能な片持ちでかつ突起で電子機器ユニット１１の下部を支持するから、電子機器ユニット１１のスムーズなスライド動作を可能とする。
【００３８】
なお、この発明は上記実施例に限られるものではなく、その要旨を逸脱しない範囲において種々の態様において実施することが可能であり、例えば次のような変形も可能である。
上記実施例において、ディスクアレイ装置１０の電子機器ユニット１１として、３．５インチのハードディスクドライブを２個用いた構成について説明したが、ハードディスクドライブのサイズや個数は、特に限定されず、例えば、２．５インチのハードディスクドライブや、１個または３個以上のハードディスクドライブを交換可能な構成としてもよく、また、交換可能な装置であれば、ＤＶＤドライブなどの各種の装置であってよく、また、これらを適宜組み合わせて用いてもよい。
【００３９】
また、上記実施例では、電子機器ユニット１１に外力を加えるための取出部材として、Ｌ字形の金具を用いたが、これに限らず、外力を加えることができる手段であれば、ネジ穴が倣うフック４３の付近に別体に、またはフックと一体に形成した部材であってもよい。
【００４０】
さらに、ディスクアレイ装置１０の電源は、メインスイッチでオフ動作させた後に、着脱動作させる他に、把持部６２の引き抜き動作に連動してオフ動作させることにより、操作性および電子機器ユニット１１の保護を図ってもよい。
【符号の説明】
【００４１】
１０…ディスクアレイ装置
１１…電子機器ユニット
１２…前面
１４…背面
１５…側面
１６…ガイド側面
１６a，１６ｂ，１６ｃ…ネジ穴
１７…コネクタ
２０…ケーシング
２０Ｓ…収納スペース
２０Ｓａ…開口
２１…ケーシング本体
２１ａ，２１ｂ…係合部
２１ｃ…押圧部
２２…コネクタ
２３…前面カバー
２３ａ，２３ｂ…カバー係合部
３０…着脱機構
３１…支持枠体
３２，３３…側支持板
３４…下支持板
４０…ガイド部材
４１…ガイド本体
４２…側ガイド
４２ａ…ガイド片
４３…フック
４３ａ…弾性片
４３ｂ…操作突出部
４３ｃ…ガイド斜面
４４…係合突起
５０…上側支持部
５１…支持本体
５２…背面板
５３…側ガイド
５３ａ…挿入穴
５４…ガイド押さえ
５５…スライド突起
５６…ストッパ片
６０…取出部材
６１…取出部材本体
６１ａ…被ガイド部
６１ｂ…スリット
６１ｃ…ガイド穴
６２…把持部
６３…折曲押圧部
６３ａ…押圧片
６３ｂ…押圧端
【図１】
2011086335.tif 000003
【図２】
2011086335.tif 000004
【図３】
2011086335.tif 000005
【図４】
2011086335.tif 000006
【図５】
2011086335.tif 000007
【図６】
2011086335.tif 000008
【図７】
2011086335.tif 000009
【図８】
2011086335.tif 000010
【図９】
2011086335.tif 000011
【図１０】
2011086335.tif 000012